(57)【要約】要約課題銃アクセサリーと、銃本体または銃本体に接続したアダプターと、をラジアル方向に互いずれることがなく確実に接続することができる着脱装置を提供する。解決手段着脱装置１０は、中空筒状を呈し、その内部に銃本体または銃本体に取り付けたアダプターに配置したオネジ部と螺合するために内周面にメネジ部２１と、前記メネジ部２１の外周面に、ラジアル方向の回転を阻止する係合部２２と、ラジアル方向の回転を許容しかつスラスト方向の移動を阻止する第２係合部２３と、を具備する接続部材２０と、その接続部材２０をラジアル方向に回転可能かつ、スラスト方向に移動可能に配置するためのケース部５０とを有し、そのケース部５０に配置し、かつ、上昇することで当該ケース部５０に配置した前記接続部材２０における係合部２２及び、第２係合部２３と係合する係合相手部６０と、を有する。選択図            図１
2018154683.tif 000002
【特許請求の範囲】
【請求項１】
中空筒状を呈し、その中空筒状の内部に銃本体または銃本体に取り付けたアダプターに配置したオネジ部と螺合するためのメネジ部と、前記中空筒状の外周面に、ラジアル方向の回転を阻止する係合部と、ラジアル方向の回転を許容しかつスラスト方向の移動を阻止する第２係合部と、を具備する接続部材と、
前記接続部材をラジアル方向に回転可能かつ、スラスト方向に移動可能に配置するためのケース部と、
前記ケース部に配置し、かつ、当該ケース部に配置した前記接続部材における係合部または、第２係合部と係合する係合相手部と、
を有する前記銃本体または銃アダプターと接続する着脱装置
【請求項２】
前記接続部材をスラスト方向に付勢する弾性部材と、前記弾性部材の他端を固定する基部と、をさらに有し、前記ケース部は、前記基部に接続され、前記弾性部材は、前記ケース部に伸縮可能に配置されている請求項１記載の着脱装置。
【請求項３】
前記銃本体または銃本体に取り付けたアダプターに配置した前記着脱装置と相対回転を阻止するための係止部材を前記ケース部に配置した請求項１または２記載の着脱装置。
【請求項４】
前記係合相手部を、押し上げて、前記接続部材における係合部または、第２係合部と係合させるための係合補助部材を前記ケース部に配置した請求項１から３いずれか１項記載の着脱装置。
【請求項５】
前記請求項１から４のいずれか記載の着脱装置を有する銃アクセサリー。
【請求項６】
前記銃アクセサリーは、サイレンサーである請求項５記載の銃アクセサリー。
【請求項７】
前記請求項５または６記載の銃アクセサリーと着脱可能に取り付けた銃アダプター。
【請求項８】
請求項７記載の銃アダプターを有する銃本体。
【発明の詳細な説明】
【技術分野】
【０００１】
本発明は、実銃のみならず模擬銃にサイレンサーなどの銃アクセサリーを着脱可能に取り付ける着脱装置に関するものである。
【背景技術】
【０００２】
実銃のみならず模擬銃においても、銃本体にサイレンサーなどの銃アクセサリーを取りつけることがある。この場合に、従来は、銃本体における銃口の先端にそのサイレンサーを嵌合するように押し込んで取り付ける取り付け装置がある。【０００３】
しかしながら、上記取り付け装置では、使用中にそのアクセサリーが外れてしまう場合がある。そこで、銃本体における中空筒状の銃口の外周面にオネジをもうけ、サイレンサーなどの付属物の内部に、そのオネジとかみ合うメネジを設け、それらが互いに螺合することでその銃アクセサリーと、銃本体と、を固定している。【０００４】
たとえば、特開平０６−２４１６９１号公報において実銃に使用するサイレンサーに関する発明が開示されているが、この取り付けるための構造は上述のものであり、おねじとめねじを螺合して取り付けるというものである。【０００５】
また、本出願人がした特開２００４−１３８２９１号公報における弾速降下器に関する発明において、その弾速降下器である、銃アクセサリーと銃本体とを着脱する装置は、オネジとメネジの螺合であることが開示されている。【０００６】
このように銃本体とその銃本体に取り付けることができるサイレンサーなどの銃アクセサリーとを着脱可能に取り付ける着脱装置は、オネジとメネジの螺合により取り付けというものであり、確実に取り付けることができると共に取り外しの際も容易にできるという利点がある。【０００７】
上記銃アクセサリーはほぼ円筒形であり中空筒状を呈するものであり、断面視形状が円形であることから、その銃アクセサリーを、いわゆるラジアル方向に回転することで、その銃アクセサリーにおけるメネジと銃本体のオネジとの螺合により取付けることができる。このため、銃アクセサリーと銃本体とのラジアル方向の位置については、その銃アクセサリーが円筒形であるために、螺合によってねじ込まれたときのラジアル方向に回転する角度が、その銃アクセサリーごとに異なっていてもその回転方向のずれは問題とはならない。【０００８】
しかしながら、銃アクセサリーが、円筒形ではなく、断面視、ほぼ長方形を呈している場合、すなわち断面視形状が仮に９０度回転させた場合に対称ではない場合において、銃本体と銃アクセサリーのラジアル方向の位置を合わせる必要がある。しかしながら、上記のとおり、オネジとメネジによる螺合による脱着においては、そのねじ込まれて固定したときの、銃アクセサリーと銃本体との位置について、ラジアル方向の回転がずれる場合がある。
【先行技術文献】
【特許文献】
【０００９】
【特許文献１】特開平０６−２４１６９１号公報
【特許文献２】特開２００４−１３８２９１号公報
【発明の開示】
【発明が解決しようとする課題】
【００１０】
本発明は前記の実情に鑑みてなされたもので、その課題は、銃アクセサリーの断面形状が、円形ではない場合に、銃本体または銃本体に接続したアダプターと、銃アクセサリーとが、互いに、ラジアル方向にずれることがなく確実に接続することができる着脱装置を提供することである。
【課題を解決するための手段】
【００１１】
前記の課題を解決するため、第１観点の着脱装置は、中空筒状を呈し、その中空筒状の内部に銃本体または銃本体に取り付けたアダプターに配置したオネジ部と螺合するためのメネジ部と、その中空筒状の外周面に、ラジアル方向の回転を阻止する係合部と、ラジアル方向の回転を許容しかつスラスト方向の移動を阻止する第２係合部と、を具備する接続部材と、
接続部材をラジアル方向に回転可能かつ、スラスト方向に移動可能に配置するためのケース部と、ケース部に配置し、かつ、当該ケース部に配置したその接続部材における係合部または、第２係合部と係合する係合相手部と、
を有するというものである。【００１２】
第２観点の着脱装置は、第１観点において、接続部材をスラスト方向に付勢する弾性部材と、弾性部材の他端を固定する、基部と、をさらに有し、ケース部は基部に接続され、弾性部材は、ケース部に伸縮可能に配置されているというものである。【００１３】
第３観点の着脱装置は、第１観点から第２観点において、本体または銃本体に取り付けたアダプターに配置した着脱装置と相対回転を阻止するための係止部材を前記ケース部に配置したというものである。【００１４】
第４観点の着脱装置は、第１観点から第３観点において、係合相手部を、押し上げて、接続部材における係合部または、第２係合部と係合させるための係合補助部材をケース部に配置したというものである。【００１５】
第５観点の銃アクセサリーは、第１観点から第４観点のいずれかの着脱装置を有するというものである。【００１６】
第６観点の銃アクセサリーは、第５観点において、サイレンサーであるというものである。【００１７】
第７観点の銃アダプターは第５観点または第６観点の銃アクセサリーと着脱可能に取り付けたというものである。【００１８】
第８観点の銃本体は、第７観点の銃アダプターを有するというものである。
【発明の効果】
【００１９】
本発明は以上のように構成され、かつ、作用するものであり、銃アクセサリーの断面形状が、円筒形ではない場合に、銃本体または銃本体と接続したアダプターと、ラジアル方向に互いずれることがなく確実に接続することができる着脱装置を提供することができる。
【図面の簡単な説明】
【００２０】
【図１】銃本体と銃アダプターと銃アクセサリーとの接続斜視図である。
【図２】銃本体と銃アダプターと銃アクセサリーとの分解斜視図である。
【図３】銃アダプターの斜視図である。
【図４】接続装置の分解斜視図である。
【図５】係合相手部と係合補助部材が組み込まれた状態の図４における断面斜視図である。
【図６】Ａは、銃アダプターと銃アクセサリーとを接続しようとする状態の平面図である。Ｂは、ＡのＢ−Ｂ線断面図である。Ｃは、Ａの側面図である。Ｄは、ＢのＤ−Ｄ線断面図である。Ｅは、ＢのＥ−Ｅ線断面図である。
【図７】図６ＡのＢ−Ｂ線拡大断面図である。
【図８】Ａは、図６ＢのＤ−Ｄ線拡大断面図である。Ｂは、図６ＢのＥ−Ｅ線拡大断面図である。
【図９】Ａは、銃アダプターと銃アクセサリーとを接続し、第１係合部と係合相手部との係合が、離間した状態の平面図である。Ｂは、ＡのＢ−Ｂ線断面図である。Ｃは、Ａの側面図である。Ｄは、ＢのＤ−Ｄ線断面図である。Ｅは、ＢのＥ−Ｅ線断面図である。
【図１０】図９ＡのＢ−Ｂ線拡大断面図である。
【図１１】Ａは、図９ＢのＤ−Ｄ線拡大断面図である。Ｂは、図９ＢのＥ−Ｅ線拡大断面図である。
【図１２】Ａは、銃アダプターと銃アクセサリーとを接続し、銃アクセサリーに、銃アダプターを押し込んだ状態の平面図である。Ｂは、ＡのＢ−Ｂ線断面図である。Ｃは、Ａの側面図である。Ｄは、ＢのＤ−Ｄ線断面図である。Ｅは、ＢのＥ−Ｅ線断面図である。Ｆは、ＢのＦ−Ｆ線断面図である。
【図１３】図１２ＡのＢ−Ｂ線拡大断面図である。
【図１４】Ａは、図１２ＢのＤ−Ｄ線拡大断面図である。Ｂは、図１２ＢのＥ−Ｅ線拡大断面図である。Ｃは、図１２ＢのＦ−Ｆ線拡大断面図である。
【図１５】Ａは、銃アダプターと銃アクセサリーとを接続し、銃アクセサリーに、銃アダプターを押し込み、第２係合部と係合相手部との係合した状態の平面図である。Ｂは、ＡのＢ−Ｂ線断面図である。Ｃは、Ａの側面図である。Ｄは、ＢのＤ−Ｄ線断面図である。Ｅは、ＢのＥ−Ｅ線断面図である。
【図１６】図１５ＡのＢ−Ｂ線拡大断面図である。
【図１７】Ａは、図１５ＢのＤ−Ｄ線拡大断面図である。Ｂは、図１５ＢのＥ−Ｅ線拡大断面図である。
【発明を実施するための最良の形態】
【００２１】
以下本実施例を詳細に説明する。
図１は、銃本体３００にアダプター２００を接続し、そのアダプター２００と銃アクセサリー１００とを接続したものである。本実施例における着脱装置１０は、銃アクセサリー１００と接続した外郭部９０の内部に配置されており、銃アクセサリー１００と一体とすることができる。ここで銃アクセサリー１００とは銃本体３００に取り付けることができるサイレンサー、ライト類（図示せず）の付属物を言う。本実施例において、断面視形状が円形ではない銃アクセサリー１００（図1、２参照）は、アダプター２００を介して銃本体３００に取り付けられているが、後述するように、アダプター２００におけるオネジ部２１０と同様の構成を銃本体３００に配置することで、着脱装置１０を有する銃アクセサリー１００を銃本体３００に直接取り付けられるというものである。【００２２】
本実施例において、銃アクセサリー１００としてサイレンサーに配置した着脱装置１０について説明する。本実施例における着脱装置１０は、接続部材２０を有する。この接続部材２０は、中空筒状を呈し、その内部に銃本体３００または銃本体３００に取り付けたアダプター２００に配置したオネジ部２１０と螺合するために内周面にメネジを構成したメネジ部２１を有する。また、その外周面に、ラジアル方向の回転を阻止する係合部２２と、ラジアル方向の回転を許容しかつスラスト方向の移動を阻止する第２係合部２３と、を有する。【００２３】
また、接続部材２０を銃本体３００または銃本体３００に取り付けたアダプター２００の方向すなわち図示ｘ方向に付勢する弾性部材３０を有する。また、基部４０は、ケース部５０に接続されている。また、弾性部材３０は、ケース部５０の内部５１において、接続部材２０と接続されているが、さらに、ケース部５０の内部５１において、その接続部材２０は、ラジアル方向に回転可能かつ、スラスト方向に移動可能に配置されている。また、ケース部５０に配置し、かつ、上昇することで当該ケース部５０に配置した前記接続部材２０における係合部２２及び第２係合部２３と係合する係合相手部６０を有する（図４、５参照）。また、それらは、上記のとおり、外郭部９０に収納されている。【００２４】
また、さらに述べると、本実施例における着脱装置１０は、銃アクセサリー１００におけるｙ方向の回転方向と、アダプター２００との回転方向ｚとの相対角度のずれを防止することができるというものである（図１参照）。【００２５】
また、上述の係合相手部６０は、ケース部５０における摺動孔５２に配置されている（図４、５参照）。さらにその係合相手部６０は、係合補助部材７０と接している（図６、７参照）。また、係合補助部材７０は、可動ケース７５に接続されており、その可動ケース７５の上下動により、上記係合補助部材７０を介して、係合相手部６０が上下動する。【００２６】
接続部材２０は、上記のとおり中空筒状を呈し、その内側は、メネジ状に螺子加工されたメネジ部２１を有するものである。これは、アダプター２００におけるオネジ状に螺子加工されたオネジ部２１０と、それら螺子加工されたもの同士がかみ合って螺子止めされる。すなわち螺合して、接続するためのものである（図４参照）。【００２７】
また、接続部材２０の外周部分には、ラジアル方向に、すなわち周回するＹ方向に連続して、凸凹が形成された係合部２２を有する。また、その接続部材２０の外周部分には、周回するｙ方向に第２係合部２３を有する。なおその第２係合部２３は、断面視溝状を呈し（図４、５参照）、後述する係合相手部６０と、係合したときにｘ方向とは逆方向の移動を阻止するためのものである。なお、周回するｙ方向及びｚ方向をラジアル方向ということがある。なお、本実施例において、係合部２２は周回するＹ方向に連続して凸凹が形成されているが、後述する歯合部６１と係合することができれば、係合部２２は、必ずしも、周回するＹ方向に連続して凸凹が形成されていなくても良い。すなわち、係合部２２は、歯合部６１と摩擦力によって係合する程度の表面粗さを有していれば、良い。【００２８】
また、上述の係合部２２と第２係合部２３は、それぞれ、図示ｘ方向にずらすように、係合部２２と第２係合部２３とを順に配置している（図４参照）。なお、図示ｘ方向とは、銃本体３００または銃本体３００に取り付けたアダプター２００と、その着脱装置１０を接続した場合において、その銃本体３００または銃本体３００に取り付けたアダプター２００の方向をいう（図１参照）。なおｘ方向またはｘ方向とは逆の方向をスラスト方向ということがある。【００２９】
また、弾性部材３０は、上述のとおり、接続部材２０をｘ方向に付勢するように配置されている。この弾性部材３０は、コイルバネが好ましい。また、図示するように弾性部材３０の一端３１は上記のとおり接続部材２０に接続され、他端３２は後述する基部４０の弾性係止部４１に固定されている。【００３０】
基部４０は、上記のとおり、弾性部材３０をその弾性係止部４１に伸縮可能に配置する。また、基部４０は、上述したケース部５０と接続する（図１、２、４参照）。ケース部５０はその内部５１に上述した、接続部材２０を周回するｙ方向またはｚ方向に回転可能に配置しつつ、ｘ方向に移動可能に配置されている。なお、図示ｙ方向またはｚ方向とは、銃アクセサリー１００及び接続部材２０の回転するラジアル方向において、図示左回りと右回りを指し示すものである。また、接続部材２０は、弾性部材３０に押圧されつつもその接続部材２０は、ケース部５０における内側凸部５１ａに接し、それ以上ｘ方向に移動しないように係合されている。【００３１】
また、ケース部５０の摺動孔５２は、その下方から、内部５１に通じるように形成され、後述する係合相手部６０を上下動可能に配置している。係合相手部６０は、歯合部６１と、係合受け部材６２を有し、その歯合部６１は、凸凹状を呈し上記接続部材２０における凸凹が形成された係合部２２と係合するものである。これによって、接続部材２０のｙ方向またはｚ方向の回転が阻止されるとともに、ｘ方向またはその反対方向の移動が阻止される。なお、上記のとおり、係合部２２は、かならずしも凸凹状を呈することを必要とせず、歯合部６１と、摩擦力によって係合する程度の表面粗さを有している場合も同様である。【００３２】
また、係合補助部材７０は、係合孔５３に挿入され、軸部７１を介して軸凸部７２が、係合受け部材６２に接することによって係合相手部６０を上方に上昇させるというものである。また、係止部５４は、アダプター２００における係止相手部２２０と、接続することで、そのアダプター２００に対し、銃アクセサリー１００がｙ方向に相対回転することを阻止すること及びそのアダプター２００と銃アクセサリー１００との位置合わせのためのものである。これによって、銃アクセサリー１００のｙ方向における回転のずれと、銃アダプター２００のｚ方向における回転のずれを阻止することができるので、銃アクセサリー１００と、銃アダプター２００をずれなく接続することができる。【００３３】
銃アクセサリー１００における着脱装置１０と、アダプター２００との接続方法について説明する。まず、アダプター２００に配置した可動ケース７５（図６Ｅ参照）を上昇させ、可動ケース７５と接する係合補助部材７０における軸凸部７２を回転させ、それと接する係合受け部材６２によって、摺動孔５２内に配置されている係合相手部６０を上方に上昇させる。これにより、係合相手部６０における歯合部６１が、接続部材２０における凸凹が形成された係合部２２と接することで、接続部２０の、ケース部５０内において、ｙ方向の回転が阻止される。【００３４】
それによって、メネジ部２１の回転が阻止され、ケース部５０に対して接続部材２０のｙ方向の相対回転が阻止される。このときに、銃アクセサリー１００における着脱装置１０と、アダプター２００とを互いに接近させる。それから、アダプター２００におけるおねじ部２１０を、メネジ部２１に差し入れて、銃アクセサリー１００をｙ方向に回転させることによって、おねじ部２１０と、ケース部５０に配置されたメネジ部２１とが、互いに螺合して、アダプター２００と銃アクセサリー１００が接続される。すなわち、ケース部５０に対して接続部材２０のｙ方向の相対回転が阻止されており、いわば、ケース部５０に対して接続部材２０が一体となった状態である。したがって、銃アクセサリー１００をｙ方向に回転させれば、接続部材２０が、ケース部５０内で空回りすることなく、おねじ部２１０と、メネジ部２１とを、互いに螺合することができる。なお図６、７、８は、おねじ部２１０と、メネジ部２１とが、互いに螺合した状態である。【００３５】
なお、おねじ部２１０と、メネジ部２１とにおいてそれぞれの螺子加工部分のばらつきにより、おねじ部２１０が、メネジ部２１にねじ込まれる位置が異なるために、アダプター２００と銃アクセサリー１００が接続されているものの、アダプター２００におけるｚ方向の位置と銃アクセサリー１００におけるｙ方向の相対位置がずれる場合がある。それを調整する場合においては、おねじ部２１０が、メネジ部２１にねじ込まれた状態において、可動ケース７５（図９Ｅ参照）を下降させて、可動ケース７５と接する係合補助部材７０における軸凸部７２を回転させ、それと接する係合受け部材６２によって、摺動孔５２内に配置されている係合相手部６０（図５参照）を下方に下降させる。これにより、係合相手部６０における歯合部６１が、接続部材２０における凸凹が形成された係合部２２と離れることで、接続部２０の、ケース部５０内においてのｙ方向またはｚ方向の回転が許容される（図９、１０、１１参照）。なお、上記のとおり、係合部２２は、かならずしも凸凹状を呈することを必要とせず、歯合部６１と、摩擦力によって係合する程度の表面粗さを有している場合がある。その場合も同様に、接続部材２０における係合部２２と、歯合部６１が離れることで、接続部２０の、ケース部５０内においてのｙ方向またはｚ方向の回転が許容される。そのときアダプター２００をｙ方向またはｚ方向にいずれかに回転させることにより、アダプター２００と銃アクセサリー１００との相対する回転方向のずれを解消する。【００３６】
その場合に接続部材２０がケース部５０内で、空回りするために、アダプター２００、ｙ方向またはｚ方向のいずれかに回転しても、接続部材２０がそれにつられて回転するために、おねじ部２１０が、メネジ部２１が、螺合したまま、すなわち互いに噛み合ったまま、おねじ部２１０が、メネジ部２１から抜けるということはない。【００３７】
次に、可動ケース７５（図９Ｅ参照）を下降させ、可動ケース７５と接する係合補助部材７０における軸凸部７２を今度は逆に回転させ、それと接する係合受け部材６２によって、係合相手部６０を下方に下降させる。これにより、係合相手部６０における歯合部６１が、接続部材における凸凹が形成された係合部２２と離間することで（図１１Ａ参照）、接続部２０の、ケース部５０内においてのｙ方向の回転が可能となると共に、接続部２０がそのケース部５０内のｘ方向と逆方向の移動も可能となる（図９、１０、１１参照）。なお、上記調整をしたときに、可動ケース７５（図１１Ｅ参照）を下降させていた場合は、そのままの状態でよい。【００３８】
このような状態で、アダプター２００をｘ方向とは逆の方向に押す。銃アクセサリー１００とアダプター２００は互いに、回転方向にずれない位置に修正されているために、これにより、接続部材２０が弾性部材３０の押圧力に対抗するように押し込む。そのときに、いままでは、係合相手部６０における歯合部６１が、対向していたものは、接続部２０における係合部２２であったが、接続部２０における第２係合部２３と対向する位置にその接続部材２０が、移動する。すなわちアダプター２００をｘ方向とは逆の方向に押されているので、そのおねじ部２１０によって、接続部材２０が、ｘ方向とは逆の方向に押され移動する。【００３９】
その際に、アダプター２００と、接続装置１０が接近しているので、ケース部５０における係止部５４が、アダプター２００における係止相手部２２０と、嵌合するように接続する。これにより、アダプター２００に対し、銃アクセサリー１００がｙ方向に相対回転することを阻止することができる。これによって、銃アクセサリー１００と、銃アダプター２００とのｙ方向及びｚ方向における回転のずれを阻止することができる（図１２、１３、１４参照）。またそれとともに、アダプター２００と銃アクセサリー１００の回転方向の位置を決めることができる。なお、係合相手部６０における歯合部６１が、接続部２０における第２係合部２３と対向する位置に移動しただけであるので、接続部材２０そのものはケース部５０に対する回転を許容するが、上記のとおり、ケース部５０における係止部５４が、アダプター２００における係止相手部２２０と、嵌合されているので、アダプター２００に対し、銃アクセサリー１００がｙ方向に相対回転することを阻止されている。【００４０】
しかしながらこの状態では、弾性部材３０におけるｘ方向の付勢力によって、アダプター２００が、銃アクセサリー１００から離間する方向すなわちｘ方向に移動してしまう。従って、これを回避するために、係合相手部６０における歯合部６１が、接続部２０における第２係合部２３と相対する位置に移動した状態のまま、再び可動ケース７５（図１５、１６、１７参照）を上昇させる。【００４１】
そのときに、係合相手部６０における歯合部６１が、接続部２０における第２係合部２３と係合する。上記のとおり第２係合部２３は溝状を呈しているために、その溝状の部分に歯合部６１が嵌合する。したがって、このとき接続部材２０は弾性部材３０に付勢されているもののその第２係合部２３と歯合部６１の嵌合によって、接続部材２０のｘ方向の移動が阻止される。【００４２】
もっとも、第２係合部２３は溝状を呈しており、歯合部６１と嵌合しても、接続部材２０そのもののみの回転は許容されるが、すでに、ケース部５０における係止部５４が、アダプター２００における係止相手部２２０と、嵌合するように接続されているので、アダプター２００に対し、銃アクセサリー１００がｙ方向に相対回転することを阻止している。このように、銃アクセサリー１００におけるｙ方向の回転方向と、アダプター２００との回転方向ｚとの相対角度のずれを解消しつつ、おねじ部２１０と、メネジ部２１とが、螺合しているので、銃アクセサリー１００と、アダプター２００とを確実に接続することができる。【００４３】
銃アクセサリー１００とアダプター２００とを取り外す際は、上記とは逆の工程により取り外すことができる。簡単に説明すると、可動ケース７５を下降させ、第２係合部２３と歯合部６１との係合を解く。すると弾性部材３０の押圧力により、アダプター２００と銃アクセサリー１００が離れる。もっとも弾性部材３０を配置しない場合においては、使用者が、ｘ方向にアダプター２００を引き抜く。【００４４】
このとき、ケース部５０における係止部５４が、アダプター２００における係止相手部２２０との嵌合が解かれる。その場合に、再び、可動ケース７５を上昇させ、今度は、歯合部６１と、対向する位置に移動した、接続部材２０における係合部２２と再び係合をする。【００４５】
そのときに、銃アクセサリー１００をｚ方向に回転させ、アダプター２００を今度はｙ方向に回転させると、オネジ部２２０と、メネジ部２１との、螺合が解かれ、銃アクセサリー１００と、アダプター２００が分離する。【００４６】
なお上記のとおり、銃アクセサリー１００とアダプター２００の着脱装置について説明したが、銃本体３００に、アダプター２００におけるオネジ部２１０と、係止相手部２２０と、同様の構成を付加することで、銃本体３００に、銃アクセサリー１００を取り付けることもできる。また、銃本体３００とは、模擬銃または実銃を含むものである。
【符号の説明】
【００４７】
１０  着脱装置
２０  接続部材
２１  メネジ部
２２  係合部
２３  第２係合部
３０  弾性部材
４０  基部
４１  弾性係止部
５０  ケース部
５１  内部
５２  摺動孔
５４  係止部材
６０  係合相手部
７０  係合補助部材
９０  外郭部
２００  アダプター
２１０  オネジ部
２２０  係止相手部
３００  銃本体
【図１】
2018154683.tif 000003
【図２】
2018154683.tif 000004
【図３】
2018154683.tif 000005
【図４】
2018154683.tif 000006
【図５】
2018154683.tif 000007
【図６】
2018154683.tif 000008
【図７】
2018154683.tif 000009
【図８】
2018154683.tif 000010
【図９】
2018154683.tif 000011
【図１０】
2018154683.tif 000012
【図１１】
2018154683.tif 000013
【図１２】
2018154683.tif 000014
【図１３】
2018154683.tif 000015
【図１４】
2018154683.tif 000016
【図１５】
2018154683.tif 000017
【図１６】
2018154683.tif 000018
【図１７】
2018154683.tif 000019
【国際調査報告】
2018154683.tif 000020
2018154683.tif 000021
2018154683.tif 000022
2018154683.tif 000023